(57)【要約】【課題】構造が簡単であると共に部品点数が少なく低コストで製造可能であり、左右勝手の入れ替え作業を容易に行うことができるアウトセット引戸用鎌錠を提供する。【解決手段】引戸の側面に設置された操作部を操作することによって、アウトセット引戸を施解錠するアウトセット引戸用鎌錠が提供される。このアウトセット引戸用鎌錠は、操作部に機械的に連結され、この操作部の操作に連動して上下方向に往復移動する連動桿と、連動桿に連動して回動する鎌部材とを備えている。鎌部材は、基端部と、連動桿と平行となるように基端部から突出して設けられた鎌軸と、基端部に設けられ、連動桿が挿通する湾曲状長穴と、基端部の先端側に設けられ、連動桿が上下方向に往復移動し湾曲状長穴に沿って移動して基端部が鎌軸を中心に回動することにより、引戸の側面から突出又は引込するように構成された鎌部とを備えている。【選択図】図１
2018053505.tif 000002
【特許請求の範囲】
【請求項１】
引戸の側面に設置された操作部を操作することによって、アウトセット引戸を施解錠するアウトセット引戸用鎌錠であって、
前記操作部に機械的に連結され、該操作部の操作に連動して上下方向に往復移動する連動桿と、該連動桿に連動して回動する鎌部材とを備えており、
前記鎌部材は、基端部と、前記連動桿と平行となるように前記基端部から突出して設けられた鎌軸と、前記基端部に設けられ、前記連動桿が挿通する湾曲状長穴と、前記基端部の先端側に設けられ、前記連動桿が上下方向に往復移動し前記湾曲状長穴に沿って移動して前記基端部が前記鎌軸を中心に回動することにより、前記引戸の側面から突出又は引込するように構成された鎌部とを備えていることを特徴とするアウトセット引戸用鎌錠。
【請求項２】
前記連動桿が挿通して上下方向に往復移動する摺動長穴を有する鎌錠本体をさらに備えており、該鎌錠本体の前記摺動長穴の近傍には前記鎌部材の前記鎌軸を軸支する軸受け穴が設けられていることを特徴とする請求項１に記載のアウトセット引戸用鎌錠。
【請求項３】
前記鎌錠本体の前記摺動長穴の両側には１対の前記軸受け穴が設けられており、前記鎌軸は両端部が前記基端部の両側面からそれぞれ突出して該基端部に固着されており、該鎌軸の前記両端部のうちの一方が該１対の軸受け穴の１つに装着されて軸支されるように構成されていることを特徴とする請求項２に記載のアウトセット引戸用鎌錠。
【請求項４】
前記操作部に一端部が連結されており、該操作部が上下方向に移動することにより回動軸を中心に揺動する揺動部材と、前記連動桿が固着されていると共に前記揺動部材の他端部に連結されており、該揺動部材の揺動に応じて上下方向に摺動する摺動部材とをさらに備えていることを特徴とする請求項２又は３に記載のアウトセット引戸用鎌錠。
【請求項５】
前記揺動部材の一部、前記連動桿の一部及び前記摺動部材は、前記鎌錠本体内に収容されていることを特徴とする請求項４に記載のアウトセット引戸用鎌錠。
【請求項６】
前記引戸の前記鎌部が突出又は引込する側の壁面に設けられ、前記鎌部が係脱可能な鎌受けをさらに備えていることを特徴とする請求項１から５のいずれか１項に記載のアウトセット引戸用鎌錠。
【請求項７】
前記鎌部材の少なくとも前記湾曲状長穴が設けられている部分は、樹脂材料から形成されていることを特徴とする請求項１から６のいずれか１項に記載のアウトセット引戸用鎌錠。
【発明の詳細な説明】
【技術分野】
【０００１】
本発明は、アウトセット引戸の開閉を制限するためのアウトセット引戸用鎌錠に関する。
【背景技術】
【０００２】
近年、住宅の新築及びリフォーム需要によってアウトセット引戸の使用量が増加している。アウトセット引戸は、良く知られているように、面倒な控え壁の施工が不要であると共に取付けも簡単な外付けタイプの引戸である。
【０００３】
このようなアウトセット引戸用の錠として、引戸開閉方向と直交する方向に突出するデッドボルト方式のアウトセット引戸錠が提案されている（例えば、特許文献１）。
【０００４】
特許文献１に記載のアウトセット引戸錠は、施錠具を上下動することによって、ガイド具に案内される錠片が引戸開閉方向と直交する方向に突出及び引込する錠本体と、錠片が突出して係合する受具とからなり、施錠具を上下動すると、作動具を介して伝達具が上下動し、伝達具には、共に上下動する変換具を表裏反転しても取り付けられように構成し、変換具には、斜め方向に伸びる誘導孔を設け、ガイド具には、横方向に伸びる案内孔を設け、誘導孔と案内孔は交差するように設けられ、錠片に係合する連係ピンをその交差部に貫通するように設けてなり、変換具が上下動することによって、連係ピンが誘導孔と案内孔に案内されて横方向に移動して錠片が突出又は引込し施解錠されるように構成されている。特にこの特許文献１に記載の錠では、変換具を表裏逆にして誘導孔の傾斜の向きを逆にすると共に、錠片の突出方向を逆にすることによって、錠片を逆向きに突出させることができるように構成されている。
【０００５】
しかしながら、この種のデッドボルト方式のアウトセット引戸錠では、引戸自体を開閉方向と直交するアウトセット方向に押すと、ロックが外れてしまう可能性があり、防犯性に欠けるという問題点があった。
【０００６】
このような問題点を解決するために、アウトセット引戸用の鎌錠も提案されている（例えば、特許文献２）。
【０００７】
特許文献２の引戸錠装置は、アウトセット引戸用の鎌錠であり、引戸の側縁に錠前を組み込む一方、引戸が全閉位置にあるときに錠前の鎌出入口と鎌掛け穴が対向する壁側に、鎌受けを取り付ける。施解錠時、操作具のサムタンを操作して回転伝達軸を回転させると、その回転を運動変換手段で直線往復運動に変換し、摺動体を、スライダを介して第２ケース内で高さ方向上下に摺動して鎌部材を回動し、鎌部を引戸の開閉方向と直交する向きに鎌出入口から出没させて鎌受けの鎌掛け穴に対して係脱する構成となっている。
【先行技術文献】
【特許文献】
【０００８】
【特許文献１】特許第４７６９７５１号公報
【特許文献２】実用新案登録第３１６５１６９号公報
【発明の概要】
【発明が解決しようとする課題】
【０００９】
特許文献１のアウトセット引戸錠は、ロックの外れる可能性があるため防犯性に欠けるという上述した問題点の他に、左右勝手の入り替えの際に、錠片とガイド具を外し、さらに、変換具を外し、表裏を反転して再組み立てすることが必要となり、作業が繁雑であるという問題点があった。
【００１０】
また、特許文献２のアウトセット引戸の鎌錠は、施解錠時、操作具のサムタンの回転操作を運動変換手段で直線往復運動に変換し、さらに摺動体を、スライダを介して鎌部材を回動させ、鎌部を引戸の開閉方向と直交する向きに鎌出入口から出没させるという構成であるため、構造が複雑であり、部品点数も多くなり、製造コストが高いという問題点があった。
【００１１】
従って、本発明の目的は、構造が簡単であると共に部品点数が少なく低コストで製造可能なアウトセット引戸用鎌錠を提供することにある。
【００１２】
本発明の他の目的は、左右勝手の入れ替え作業を容易に行うことができるアウトセット引戸用鎌錠を提供することにある。
【課題を解決するための手段】
【００１３】
本発明によれば、引戸の側面に設置された操作部を操作することによって、アウトセット引戸を施解錠するアウトセット引戸用鎌錠が提供される。このアウトセット引戸用鎌錠は、操作部に機械的に連結され、この操作部の操作に連動して上下方向に往復移動する連動桿と、連動桿に連動して回動する鎌部材とを備えている。鎌部材は、基端部と、連動桿と平行となるように基端部から突出して設けられた鎌軸と、基端部に設けられ、連動桿が挿通する湾曲状長穴と、基端部の先端側に設けられ、連動桿が上下方向に往復移動し湾曲状長穴に沿って移動して基端部が鎌軸を中心に回動することにより、引戸の側面から突出又は引込するように構成された鎌部とを備えている。
【００１４】
施解錠する際に操作部を操作すると、連動桿がこの操作部の操作に連動して上下方向に往復移動し湾曲状長穴に沿って移動する。これにより鎌部材の基端部が鎌軸を中心に回動して、鎌部が引戸の側面から突出又は引込する。このように、連動桿が上下方向に往復移動し湾曲状長穴に沿って移動することによって鎌部材の基端部が鎌軸を中心に回動する構造であるため、構造が簡単であると共に部品点数が少なく済み、低コストで製造することができる。また、鎌錠であるため、アウトセット引戸を確実に施錠して施錠性を高めることができる。
【００１５】
連動桿が挿通して上下方向に往復移動する摺動長穴を有する鎌錠本体をさらに備えており、鎌錠本体の摺動長穴の近傍には鎌部材の鎌軸を軸支する軸受け穴が設けられていることが好ましい。
【００１６】
この場合、鎌錠本体の摺動長穴の両側には１対の軸受け穴が設けられており、鎌軸は両端部が基端部の両側面からそれぞれ突出して基端部に固着されており、鎌軸の両端部のうちの一方が１対の軸受け穴の１つに装着されて軸支されるように構成されていることがより好ましい。鎌部材を裏返して鎌軸の他方を１対の軸受け穴の他の１つに装着すれば、鎌錠の左右勝手の入れ替えを行うことができるので、左右勝手の入れ替えに関わる部品数を少なくすることができ、低コストで製造することができる。しかも、左右勝手の入れ替え作業を容易に行うことができ、入れ替えミスの軽減や施工時間の短縮に繋がる。
【００１７】
操作部に一端部が連結されており、操作部が上下方向に移動することにより回動軸を中心に揺動する揺動部材と、連動桿が固着されていると共に揺動部材の他端部に連結されており、揺動部材の揺動に応じて上下方向に摺動する摺動部材とをさらに備えていることも好ましい。
【００１８】
この場合、揺動部材の一部、連動桿の一部及び摺動部材は、鎌錠本体内に収容されていることがより好ましい。
【００１９】
引戸の鎌部が突出又は引込する側の壁面に設けられ、鎌部が係脱可能な鎌受けをさらに備えていることも好ましい。
【００２０】
鎌部材の少なくとも湾曲状長穴が設けられている部分は、樹脂材料から形成されていることも好ましい。これにより、連動桿が湾曲状長穴内をスムーズに移動でき、かつ施錠する際に鎌受けに当接する時の操作音を抑えることができる。
【発明の効果】
【００２１】
本発明のアウトセット引戸用鎌錠によれば、連動桿が上下方向に往復移動し湾曲状長穴に沿って移動することによって鎌部材の基端部が鎌軸を中心に回動する構造であるため、構造が簡単であると共に部品点数が少なく済み、低コストで製造することができる。また、鎌錠であるため、アウトセット引戸を確実に施錠して施錠性を高めることができる。
【図面の簡単な説明】
【００２２】
【図１】本発明の一実施形態に係るアウトセット引戸用鎌錠の構成を概略的に示す分解斜視図である。
【図２】図１のアウトセット引戸用鎌錠の要部の構成（解錠状態）を概略的に示す端面図及び側面図である。
【図３】図１のアウトセット引戸用鎌錠の要部の構成（施錠状態）を概略的に示す端面図及び側面図である。
【図４】図１のアウトセット引戸用鎌錠の端面部材の構成を概略的に示す側面図である。
【図５】図１のアウトセット引戸用鎌錠の使用状態を示す斜視図である。
【発明を実施するための形態】
【００２３】
以下、本発明に係るアウトセット引戸用鎌錠の実施形態を、図を参照して説明する。
【００２４】
図１は本発明の一実施形態に係るアウトセット引戸用鎌錠１００の全体の構成を分解して示している。図２はアウトセット引戸用鎌錠１００の要部の構成（解錠状態）を示しており、同図（ａ）は端面を、同図（ｂ）は側面を示している。図３はアウトセット引戸用鎌錠１００の要部の構成（施錠状態）を示しており、同図（ａ）は端面を、同図（ｂ）は側面を示している。図４はアウトセット引戸用鎌錠１００の端面部材４０の構成を概略的に示しており、同図（ａ）は鎌出入口４４から見た側面を、同図（ｂ）は端面部材４０の裏面を示している。図５はアウトセット引戸用鎌錠１００の設置及び使用状態を示している。
【００２５】
図１〜図５に示すように、本実施形態に係るアウトセット引戸用鎌錠１００は、アウトセット引戸Ｄの戸先近傍の側面に設置された操作部１０を上下動することによって、アウトセット引戸Ｄを施解錠する鎌錠である。このアウトセット引戸用鎌錠１００は、アウトセット引戸Ｄを施解錠するための操作部１０と、この操作部１０の上下動を鎌部材３０に伝達する伝達機構を内部に収容している鎌錠本体２０と、鎌部材３０と、鎌錠本体２０と協働して鎌部材３０を保持する端面部材４０と、引戸Ｄに対向する壁面Ｗに設けられ鎌部材３０が掛止される鎌受け５０とを備えている。
【００２６】
操作部１０は、アウトセット引戸Ｄを施解錠する際に操作されるものであり、例えば、金属材料から形成され、引戸Ｄの壁面と対向する側面（以下、外側側面）とは反対側の側面（以下、内側側面）の戸先近傍に設けられた引き手Ｈ１の手掛け部内の上部に設けられた操作ノブ１１と、この操作ノブ１１の裏側に装着された連結軸１２とから構成されている。操作ノブ１１は上下に摺動することができるように構成されており、連結軸１２は操作ノブ１１と共に上下に移動するように構成されている。なお、引戸Ｄの外側側面に配設された引き手Ｈ２には、鍵（又はピン）等で開錠するための機構（図示せず）が設けられている。
【００２７】
鎌錠本体２０は、施解錠操作による操作部１０からの上下動を鎌部材３０に伝達する伝達機構であり、収容ケース２１と、収容ケース２１内にその一部が収容されていると共に操作部１０の連結軸１２に一端部が連結されており、操作部１０が上下方向に移動することにより回動軸２２ａを中心に揺動する揺動部材２２と、収容ケース２１内に収容されていると共に揺動部材２２の他端部に連結されており、揺動部材２２の揺動に応じて収容ケース２１内を上下方向に往復摺動する摺動部材２３と、収容ケース２１内にその一部が収容されていると共に摺動部材２３に固着されており、摺動部材２３と共に上下方向に往復移動する連動桿２４と、後述する端面部材４０を取り付けるための取り付け部２５とを備えている。
【００２８】
鎌錠本体２０の収容ケース２１は、例えば、金属材料で形成された略直方体の中空筐体である。この収容ケース２１の一方の端面（引戸Ｄに設置時にこの引戸Ｄの戸尻側を向く端面）には、揺動部材２２が挿通して揺動するための開口部が設けられており、他方の端面（引戸Ｄに設置時にこの引戸Ｄの戸先側を向く端面）には、連動桿２４が挿通して上下方向に往復移動する摺動長穴２６が設けられている。この他方の端面における摺動長穴２６の両側に１対の非貫通の軸受け穴２７が設けられている。また、収容ケース２１の両側面（引戸表面と平行する方向に配置される面、引き戸の開閉方向と垂直に配置される面）には、摺動部材２３の摺動を案内するためのガイド溝２８がそれぞれ設けられている。ガイド溝２８は、アウトセット引戸用鎌錠１００が引戸Ｄに設置された状態における上下方向に伸長して設けられている。
【００２９】
揺動部材２２は、その中央部又は中央部近傍に回動軸２２ａが設けられており、この回動軸２２ａを中心にして揺動するように軸支されている。また、揺動部材２２の一端部（引戸Ｄに設置時にこの引戸Ｄの戸尻側の端部）には、上下方向に移動する連結軸１２が挿通して若干スライド可能な長円形状の軸穴２２ｂが設けられている。揺動部材２２の他端部（引戸Ｄに設置時にこの引戸Ｄの戸先側の端部）には、Ｕ字形状の開口溝２２ｃが形成されており、摺動部材２３の連動軸２３ａがこの開口溝２２ｃ内を摺動するように構成されている。揺動部材２２が揺動すると、摺動部材２３の連動軸２３ａがこの開口溝２２ｃ内を摺動することにより、摺動部材２３が上下方向に摺動する。摺動部材２３は、樹脂材料又は金属材料によってブロック形状に形成されており、さらに、上述した連動軸２３ａと、収容ケース２１のガイド溝２８に嵌入して摺動するガイド部２３ｂとを備えている。
【００３０】
摺動部材２３にはこの摺動部材２３に連動して上下方向に往復移動するように構成された連動桿２４が固着されている。連動桿２４は、例えば、金属材料で形成された中実の丸棒であり、この連動桿２４の一端は摺動部材２３に固着され、他端は端面部材４０の後述する摺動溝４２に摺動可能に嵌入されており、その間の部分は鎌部材３０の湾曲状長穴３３内を挿通している。
【００３１】
鎌部材３０は、連動桿２４上下方向の移動に連動して回動するように構成されており、基端部３１と、連動桿２４と平行となるように基端部３１から突出して設けられた鎌軸３２と、基端部３１に設けられ、連動桿２４が挿通する湾曲状長穴３３と、基端部３１の先端側に設けられ、連動桿２４が上下方向に往復移動し湾曲状長穴３３に沿って移動して基端部３１が鎌軸３２を中心に回動することにより、引戸Ｄの側面から突出又は引込して壁Ｗに設けられた鎌受け５０（図５参照）に掛止するように構成された鎌部３４とを備えている。
【００３２】
鎌部材３０における基端部３１の少なくとも湾曲状長穴３３が設けられる部分は、樹脂材料から形成されていることが望ましい。本実施形態においては、基端部３１の湾曲状長穴３３が設けられている基端部本体３１ａの部分は樹脂材料で構成されており、これより先端側の鎌部３４及び鎌軸３２が装着される部分は横断面が略コ字状の金属板材３１ｂによって基端部本体３１ａの両側面を挟むように構成されている。この場合、金属板材３１ｂは補強機能を有している。なお、本実施形態の鎌部３４においては、樹脂材料からなる基端部本体３１ａが金属板材３１ｂの縁端より突出するように構成されており、これにより、施錠する際に鎌部３４が鎌受け５０に当接する時の操作音を抑えることができる。また、湾曲状長穴３３の部分が樹脂材料で形成されていることにより、連動桿２４がこの湾曲状長穴３３内をスムーズに摺動することができる。
【００３３】
端面部材４０は、金属材料から形成され、上下長が長い端面片４０ａと上下長が短い側面片４０ｂとをＬ字形状に一体化して構成した部材である。この端面部材４０の端面片４０ａがアウトセット引戸Ｄの戸先側端面に当接して装着され、側面片４０ｂがアウトセット引戸Ｄの側面に当接するように取り付けられる。この端面部材４０の端面片４０ａの裏面（引戸側の面）には、１対の取り付け用突起部４１と、連動桿２４の他端が摺動可能に嵌入する上下１つずつの摺動溝４２と、２つの摺動溝４２の片側に設けられ、鎌軸３２の一端が下側に位置する軸受け穴４３に回転可能に装着される２つの非貫通の軸受け穴４３とが設けられている。２つの摺動溝４２及び２つの軸受け穴４３が設けられている理由は、鎌錠の左右勝手の入れ替えを行う際にこの端面部材４０が上下逆に配置され、その下側に位置する摺動溝４２及び軸受け穴４３が利用されるためである。また、側面片４０ｂには、矩形形状に開口された鎌出入口４４が設けられている。この端面部材４０は、取り付け用突起部４１を介して収容ケース２１の取り付け部２５にネジで取り付けられる。この場合、鎌軸３２が端面部材４０と鎌錠本体２０の収容ケース２１との間に支持され、同時に連動桿２４が湾曲状長穴３３を挿通してその他端が下側の摺動溝４２に嵌入される。
【００３４】
鎌錠３０の左右勝手切り替えの際は、端面部材４０が上下逆かつ左右逆となるように設置される。従って、側面片４０ｂは、上下逆転して引戸の反対側の側面に当接するように設置される。さらに、鎌部材３０を裏返して鎌軸３２の他方を鎌錠本体２０の１対の軸受け穴２７の他の１つに回動可能に嵌入し、鎌軸３２の一方を端面部材４０の下側の１対の軸受け穴４３の１つに回動可能に嵌入すれば、鎌錠３０の左右勝手の入れ替えを行うことができる。このように、本実施形態によれば、左右勝手の入れ替えに関わる部品数を少なくすることができ、低コストで製造することができる。しかも、左右勝手の入れ替え作業を容易に行うことができ、入れ替えミスの軽減や施工時間の短縮に繋がる。
【００３５】
鎌受け５０は、金属材料から形成され、鎌部材３０の鎌部３４が係脱可能に構成されている。この鎌受け５０は、アウトセット引戸Ｄの鎌部材３０が突出又は引込する側の壁面Ｗに取り付けられている。
【００３６】
以下、本実施形態のアウトセット引戸用鎌錠１００の施解錠動作を説明する。
【００３７】
操作ノブ１１を図２に示すように上方へ摺動させることで、アウトセット引戸用鎌錠１００が解錠状態になる。即ち、操作ノブ１１を上方へ摺動させると、連結軸１２がこれに連動して上方へ移動し、この連結軸１２が挿通している軸穴２２ｂを一端部に有する揺動部材２２が、これに連動して回動軸２２ａを中心に、図２（ｂ）にて反時計回りに回動し、略Ｕ字形状の開口溝２２ｂを有する他端部が下方に移動する。これにより、摺動部材２３が下方へ摺動し、連動桿２４がこれに連動して下方へ移動することにより、鎌部材３０が鎌軸３２を中心に、図２（ａ）にて時計回りに回動する。その結果、鎌部３４が鎌受け５０から外れてアウトセット引戸Ｄの内部（鎌出入口４４の内側）に引き込むこととなり、解錠状態となる。
【００３８】
また、操作ノブ１１を図３に示すように下方へ摺動させることで、アウトセット引戸用鎌錠１００が施錠状態になる。即ち、操作ノブ１１を下方へ摺動させると、連結軸１２がこれに連動して下方へ移動し、この連結軸１２が挿通している軸穴２２ｂを一端部に有する揺動部材２２が、これに連動して回動軸２２ａを中心に、図３（ｂ）にて時計回りに回動し、略Ｕ字形状の開口溝２２ｂを有する他端部が上方に移動する。これにより、摺動部材２３を上方へ摺動し、連動桿２４がこれに連動して上方へ移動することにより、鎌部材３０が鎌軸３２を中心に、図３（ａ）にて反時計回りに回動する。その結果、鎌部３４がアウトセット引戸Ｄの内部（鎌出入口４４の内側）から突出し鎌受け５０に掛止することとなり、施錠状態になる。
【００３９】
アウトセット引戸用鎌錠１００の左右勝手の入れ替えを行う場合、鎌錠本体２０から端面部材４０を取り外した後、鎌部材３０を鎌錠本体２０から外し、鎌部材３０の表裏を逆にして鎌軸３２を他方の軸受け穴２７に装着し、連動桿２４を湾曲状長穴３３を挿通させ、さらに、上下逆かつ左右逆に設置した端面部材４０の下側に位置する摺動溝４２に連動桿２４の他端を嵌入させた後、鎌軸３２の他端を下側に位置する他方の軸受け穴４３に装着すれば良い。即ち、本実施形態の構成によれば、鎌部材３０と端面部材４０の２つの部品の取り付け方向を入れ替えるだけで、左右勝手の入り替えが簡単にできる。
【００４０】
以上詳細に説明したように、本実施形態のアウトセット引戸用鎌錠１００は、施解錠するための操作部１０と、操作部１０の上下動を鎌部材３０に伝達する伝達機構を内部に収容する鎌錠本体２０と、鎌部材３０と、鎌錠本体２０と協働して鎌部材３０を保持する端面部材４０と、引戸Ｄに対向する壁面Ｗに設けられ鎌部材３０が掛止するための鎌受け５０とを備えている。鎌錠本体２０は、操作部１０に機械的に連結され、この操作部１０の操作に連動して上下方向に往復移動して鎌部材３０を回動させる連動桿２４を備えている。鎌部材３０は、基端部３１と、連動桿２４と平行となるように基端部３１から突出して設けられた鎌軸３２と、基端部３１に設けられ、連動桿２４が挿通する湾曲状長穴３３と、基端部３１の先端側に設けられ、連動桿２４が上下方向に往復移動し湾曲状長穴３３に沿って移動することにより基端部３１が鎌軸３２を中心に回動した際に、アウトセット引戸Ｄの側面から突出又は引込するように構成された鎌部３４とを備えている。
【００４１】
このように、連動桿２４が上下方向に往復移動し湾曲状長穴３３に沿って移動することによって鎌部材３０の基端部３１が鎌軸３２を中心に回動する構造であるため、構造が簡単であると共に部品点数が少なく済み、低コストで製造することができる。また、鎌錠であるため、アウトセット引戸を確実に施錠して施錠性を高めることができる。
【００４２】
また、鎌錠本体２０の摺動長穴２６の両側には１対の軸受け穴２７が設けられており、鎌部材３０の鎌軸３２は両端部が基端部３１の両側面からそれぞれ突出して基端部３１に固着されており、鎌軸３２の両端部のうちの一方が１対の軸受け穴２７の１つに装着されて軸支されるように、さらに、両端部のうちの他方が端面部材４０の対応する位置（下方位置）に設けられた１対の軸受け穴４３のうちの１つに装着されて軸支されるように構成されている。このような鎌部材３０を裏返して鎌軸３２の他方を１対の軸受け穴２７の他の１つ及び端面部材４０の対応する位置（この場合の下方位置）に設けられた１対の軸受け穴４３のうちの他方との間に装着すれば、鎌錠１０の左右勝手の入れ替えを行うことができるので、左右勝手の入れ替えに関わる部品数を少なくすることができ、低コストで製造することができる。しかも、左右勝手の入れ替え作業を容易に行うことができ、入れ替えミスの軽減や施工時間の短縮に繋がる。
【００４３】
また、鎌部材３０の湾曲状長穴３３が設けられる部分が樹脂材料から形成されているため、連動桿２４がスムーズに摺動でき、かつ施錠する際に鎌受け５０に当接する時の操作音を抑えることができる。
【００４４】
なお、上述した実施形態のアウトセット引戸用鎌錠１００においては、鎌部材３０の湾曲状長穴３３が設けられる部分は、樹脂材料から形成されている例を説明したが、本発明はこれに限定されるものではない。例えば、鎌部材３０全体が金属材料から形成されても良い。
【００４５】
さらに、上述した実施形態のアウトセット引戸用鎌錠１００においては、鎌錠本体２０は、収容ケース２１内に回動可能に軸支された揺動部材２２と、揺動部材２２に連結されて、収容ケース２１内の一端側に沿って摺動する摺動部材２３とを備える構成例を説明したが、本発明はこれに限定されるものではない。操作部１０に連動して連動桿２４を上下方向に直線往復移動させることができる機構であれば良い。
【００４６】
本発明は、上記の実施形態に限定されるものでなく、特許請求の範囲に記載された発明の要旨を逸脱しない範囲内での種々、設計変更した形態を技術的範囲に含むものである。
【符号の説明】
【００４７】
１０  操作部
１１  操作ノブ
１２  連結軸
２０  鎌錠本体
２１  収容ケース
２２  揺動部材
２２ａ  回動軸
２２ｂ  軸穴
２２ｃ  開口溝
２３  摺動部材
２３ａ  連動軸
２４  連動桿
２５  取り付け部
２６  摺動長穴
２７、４３  軸受け穴
２８  ガイド溝
３０  鎌部材
３０ａ  鎌本体
３１  基端部
３１ａ  基端部本体
３１ｂ  金属板材
３２  鎌軸
３３  湾曲状長穴
３４  鎌部
４０  端面部材
４０ａ  端面片
４０ｂ  側面片
４１  取り付け用突起部
４２  摺動溝
４３  軸受け穴
４４  鎌出入口
５０  鎌受け
５１  鎌掛け部
１００  アウトセット引戸用鎌錠
Ｄ  アウトセット引戸
Ｈ  引き手
Ｗ  壁面
【図１】
2018053505.tif 000003
【図２】
2018053505.tif 000004
【図３】
2018053505.tif 000005
【図４】
2018053505.tif 000006
【図５】
2018053505.tif 000007